(57)【特許請求の範囲】
【請求項１】
プロセッサによって実行されるプログラムが実行する、人体疲労値の取得方法であって、
テスト対象の皮膚電気抵抗信号を収集することと、
収集された皮膚電気抵抗信号にローパスフィルタリングを行って、フィルタリングした後の皮膚電気抵抗信号を得ることと、
前記フィルタリングした後の皮膚電気抵抗信号に微分処理を行って、微分処理後の皮膚電気抵抗信号を得ることと、
前記微分処理後の皮膚電気抵抗信号から所定の条件を満たす信号を捕捉して目標皮膚電気抵抗信号を得ることと、
前記目標皮膚電気抵抗信号に移動平均処理を行って移動平均処理後の目標皮膚電気抵抗信号を得ることと、
移動平均処理後の目標皮膚電気抵抗信号に基づいて、前記テスト対象の疲労程度を反映する前記テスト対象の疲労値を取得することと、を含む人体疲労値の取得方法。
【請求項２】
移動平均処理後の目標皮膚電気抵抗信号に基づいて、前記テスト対象の疲労値を取得することは、
移動平均処理後の目標皮膚電気抵抗信号に正規化処理を行って、正規化後の目標皮膚電気抵抗信号を得ることと、
正規化後の目標皮膚電気抵抗信号に基づいて、前記テスト対象の疲労値を取得することと、を含む請求項１に記載の方法。
【請求項３】
正規化後の目標皮膚電気抵抗信号に基づいて、前記テスト対象の疲労値を取得した後、
前記テスト対象の疲労値に分析を行うことと、
前記テスト対象の疲労値に対する分析結果に基づいて、前記テスト対象の分析結果を生成し前記テスト対象の疲労値レポートを生成することと、をさらに含む請求項２に記載の方法。
【請求項４】
移動平均処理後の目標皮膚電気抵抗信号に正規化処理を行って、正規化後の目標皮膚電気抵抗信号を得ることは、
サポートベクターマシン分類器を用いて、移動平均処理後の目標皮膚電気抵抗信号に正規化処理を行って、正規化後の目標皮膚電気抵抗信号を得ることをさらに含む請求項２に記載の方法。
【請求項５】
前記フィルタリングした後の皮膚電気抵抗信号に微分処理を行って、微分処理後の皮膚電気抵抗信号を得ることは、
前記フィルタリングした後の皮膚電気抵抗信号にデジタル-アナログ変換を行って、皮膚電気抵抗のデジタル信号を得ることと、
前記皮膚電気抵抗のデジタル信号に微分処理を行って、微分処理後の皮膚電気抵抗信号を得ることと、を含む請求項２に記載の方法。
【請求項６】
正規化後の目標皮膚電気抵抗信号に基づいて、前記テスト対象の疲労値を取得することは、
前記テスト対象の疲労分析モデルによって、前記正規化後の目標皮膚電気抵抗信号に対応するテスト対象の疲労値を取得することを含み、ここで、前記テスト対象の疲労分析モデルは、予め複数のテスト対象の疲労値でトレーニングした後に構築したモデルである請求項２に記載の方法。
【請求項７】
正規化後の目標皮膚電気抵抗信号に基づいて、前記テスト対象の疲労値を取得した後、
前記テスト対象の疲労値が所定の数値を超えたか否かを判断することと、
前記テスト対象の疲労値が所定の数値を超えたと判断されると、前記テスト対象が疲労期間であると決定することと、
前記テスト対象の疲労値が属される、軽度疲労と重度疲労を含む疲労レベルを決定することと、をさらに含む請求項４に記載の方法。
【請求項８】
テスト対象の皮膚電気抵抗信号を収集するように設置された収集ユニットと、
収集された皮膚電気抵抗信号にローパスフィルタリングを行って、フィルタリングした後の皮膚電気抵抗信号を得るように設置されたフィルタリングユニットと、
前記フィルタリングした後の皮膚電気抵抗信号に微分処理を行って、微分処理後の皮膚電気抵抗信号を得るように設置された第１の処理ユニットと、
前記微分処理後の皮膚電気抵抗信号から所定の条件を満たす信号を捕捉して目標皮膚電気抵抗信号を得るように設置された第２の処理ユニットと、
前記目標皮膚電気抵抗信号に移動平均処理を行って移動平均処理後の目標皮膚電気抵抗信号を得るように設置された第３の処理ユニットと、
移動平均処理後の目標皮膚電気抵抗信号に基づいて、前記テスト対象の疲労程度を反映する前記テスト対象の疲労値を取得するように設置された取得ユニットと、を含む人体疲労値の取得装置。
【請求項９】
請求項１乃至７のうちのいずれかに記載の人体疲労値の取得方法を実行するプログラムが記憶される記憶媒体。
【発明の詳細な説明】
【技術分野】
【０００１】
本発明は、テスト技術分野に関し、特に、人体疲労値の取得方法及び装置に関する。
【背景技術】
【０００２】
生体電気は、生体の器官、組織と細胞が生命活動中に発生する電位と極性の変化である。これは生命活動における物理、物理―化学変化の一つであり、正常な生理活動の表現であり、生体組織の基本的な特徴中の一つである。生体は外部の刺激を受けたり感情が高ぶったりするとき、皮膚電気抵抗は両点間の電位差異の増加によって皮膚の両点間の抵抗が小さくなり、このような現象が生理学電気反射と呼ばれる。既存技術において、情動と皮膚電気抵抗の間の関係を分析する際、通常、抵抗の大きさの変化に応じてテスト対象の情動が落ち着いているか興奮しているかを区別した。しかし、テスト対象の皮膚電気抵抗に基づいてテスト対象の疲労度を取得することは難しい。
【０００３】
係る技術においてテスト対象の皮膚電気抵抗に基づいてテスト対象の疲労値を取得しにくい問題について、いまだに有効な解決案を提示していない。
【発明の概要】
【発明が解決しようとする課題】
【０００４】
本願は、係る技術においてテスト対象の皮膚電気抵抗に基づいてテスト対象の疲労値を取得しにくい問題を解決できる人体疲労値の取得方法及び装置を提供することを主な目的とする。
【課題を解決するための手段】
【０００５】
上述した目的を実現するため、本願の一態様によると、人体疲労値の取得方法を提供する。該方法は、テスト対象の皮膚電気抵抗信号を収集することと、収集された皮膚電気抵抗信号にローパスフィルタリングを行って、フィルタリングした後の皮膚電気抵抗信号を得ることと、前記フィルタリングした後の皮膚電気抵抗信号に微分処理を行って、微分処理後の皮膚電気抵抗信号を得ることと、前記微分処理後の皮膚電気抵抗信号から所定の条件を満たす信号を捕捉して目標皮膚電気抵抗信号を得ることと、前記目標皮膚電気抵抗信号に移動平均処理を行って移動平均処理後の目標皮膚電気抵抗信号を得ることと、移動平均処理後の目標皮膚電気抵抗信号に基づいて、前記テスト対象の疲労程度を反映する前記テスト対象の疲労値を取得することと、を含む。
【０００６】
さらに、移動平均処理後の目標皮膚電気抵抗信号に基づいて、前記テスト対象の疲労値を取得することは、移動平均処理後の目標皮膚電気抵抗信号に正規化処理を行って、正規化後の目標皮膚電気抵抗信号を得ることと、正規化後の目標皮膚電気抵抗信号に基づいて、前記テスト対象の疲労値を取得することと、を含む。
【０００７】
さらに、正規化後の目標皮膚電気抵抗信号に基づいて、前記テスト対象の疲労値を取得した後、前記方法は、前記テスト対象の疲労値に分析を行うことと、前記テスト対象の疲労値に対する分析結果に基づいて、前記テスト対象の分析結果を生成し前記テスト対象の疲労値レポートを生成することと、をさらに含む。
【０００８】
さらに、移動平均処理後の目標皮膚電気抵抗信号に正規化処理を行って、正規化後の目標皮膚電気抵抗信号を得ることは、サポートベクターマシン分類器を用いて、移動平均処理後の目標皮膚電気抵抗信号に正規化処理を行って、正規化後の目標皮膚電気抵抗信号を得ることをさらに含む。
【０００９】
さらに、前記フィルタリングした後の皮膚電気抵抗信号に微分処理を行って、微分処理後の皮膚電気抵抗信号を得ることは、前記フィルタリングした後の皮膚電気抵抗信号にデジタル-アナログ変換を行って、皮膚電気抵抗のデジタル信号を得ることと、前記皮膚電気抵抗のデジタル信号に微分処理を行って、微分処理後の皮膚電気抵抗信号を得ることと、を含む。
【００１０】
さらに、正規化後の目標皮膚電気抵抗信号に基づいて、前記テスト対象の疲労値を取得することは、前記テスト対象の疲労分析モデルによって、前記正規化後の目標皮膚電気抵抗信号に対応するテスト対象の疲労値を取得することを含み、ここで、前記テスト対象の疲労分析モデルは、予め複数のテスト対象の疲労値でトレーニングした後に構築したモデルである。
【００１１】
さらに、正規化後の目標皮膚電気抵抗信号に基づいて、前記テスト対象の疲労値を取得した後、前記方法は、前記テスト対象の疲労値が所定の数値を超えたか否かを判断することと、前記テスト対象の疲労値が所定の数値を超えたと判断されると、前記テスト対象が疲労期間であると決定することと、前記テスト対象の疲労値が属される、軽度疲労と重度疲労を含む疲労レベルを決定することと、をさらに含む。
【００１２】
上述した目的を実現するため、本願の他の一態様によると、人体疲労値の取得装置を提供する。該装置は、テスト対象の皮膚電気抵抗信号を収集するように設置された収集ユニットと、収集された皮膚電気抵抗信号にローパスフィルタリングを行って、フィルタリングした後の皮膚電気抵抗信号を得るように設置されたフィルタリングユニットと、前記フィルタリングした後の皮膚電気抵抗信号に微分処理を行って、微分処理後の皮膚電気抵抗信号を得るように設置された第１の処理ユニットと、前記微分処理後の皮膚電気抵抗信号から所定の条件を満たす信号を捕捉して目標皮膚電気抵抗信号を得るように設置された第２の処理ユニットと、前記目標皮膚電気抵抗信号に移動平均処理を行って移動平均処理後の目標皮膚電気抵抗信号を得るように設置された第３の処理ユニットと、移動平均処理後の目標皮膚電気抵抗信号に基づいて、前記テスト対象の疲労程度を反映する前記テスト対象の疲労値を取得するように設置された取得ユニットと、を含む。
【００１３】
さらに、前記取得ユニットは、移動平均処理後の目標皮膚電気抵抗信号に正規化処理を行って、正規化後の目標皮膚電気抵抗信号を得るように設置された処理手段と、正規化後の目標皮膚電気抵抗信号に基づいて、前記テスト対象の疲労値を取得するように設置された取得手段と、を含む。
【００１４】
上述した目的を実現するため、本願の他の一態様によると、上述したいずれかに記載の人体疲労値の取得方法を実行するプログラムが記憶される記憶媒体を提供する。
【００１５】
上述した目的を実現するため、本願の他の一態様によると、上述したいずれかに記載の人体疲労値の取得方法を実行するためのプログラムを実行するプロセッサを提供する。
【発明の効果】
【００１６】
本願によると、テスト対象の皮膚電気抵抗信号を収集するステップと、収集された皮膚電気抵抗信号にローパスフィルタリングを行って、フィルタリングした後の皮膚電気抵抗信号を得るステップと、フィルタリングした後の皮膚電気抵抗信号に微分処理を行って、微分処理後の皮膚電気抵抗信号を得るステップと、微分処理後の皮膚電気抵抗信号から所定の条件を満たす信号を捕捉して、目標皮膚電気抵抗信号を得るステップと、目標皮膚電気抵抗信号に移動平均処理を行って、移動平均処理後の目標皮膚電気抵抗信号を得るステップと、移動平均処理後の目標皮膚電気抵抗信号に基づいて、テスト対象の疲労程度を反映するテスト対象の疲労値を取得するステップと、を含む。本願によると、係る技術においてテスト対象の皮膚電気抵抗に基づいてテスト対象の疲労値を取得しにくい問題を解決できる。テスト対象の皮膚電気抵抗信号を収集してからフィルタリング、微分処理、捕捉、移動平均処理を経てテスト対象の疲労値を取得することで、テスト対象の皮膚電気抵抗に基づいてテスト対象の疲労度を取得できる効果を実現できる。
【００１７】
本願の一部を構成する図面は本願を一層理解させるためのものであり、本願に示す実施例及びその説明は本願を解釈するもので、本願を限定するものではない。
【図面の簡単な説明】
【００１８】
【図１】本願の実施例で提供する人体疲労値の取得方法のフローチャートである。
【図２】本願の実施例で提供する人体疲労値の取得方法におけるサポートベクターマシン分類器を示す図である。
【図３】本願の実施例で提供する人体疲労値の取得装置を示す図である。
【発明を実施するための形態】
【００１９】
なお、矛盾しないかぎり、本願の実施例及び実施例中の特徴を組み合わせることができる。以下、図面を参照しつつ実施例を結合して本願を詳しく説明する。
【００２０】
当業者が本願の技術案を一層簡単に理解するように、以下、本願の実施例中の図面を結合して、本願の実施例の技術案を明確且つ完全に説明するが、ここで説明する実施例が本願の実施例の全部ではなく一部であることは言うまでもない。本願の実施例に基づいて、当業者が創造性のある行為を必要とせずに得られる他の実施例はすべて本願の保護範囲に含まれる。
【００２１】
尚、本願の明細書及び特許請求の範囲と図面に用いられた「第１」、「第２」等の用語は類似する対象を区別するためのもので、特定の順又は前後順を限定するものではない。ここで説明する本願の実施例を図面に示す又は説明した順との異なる順でも実現できるように、このように使用される数値は適切な状況において交換可能である。また「含む」、「有する」及びそれらの変形用語は、非排他的に含むことをカバーするもので、例えば一連のステップ又はユニットを含むプロセス、方法、システム、製品又は機器が明確に例示されたステップ又はユニットに限定されず、明確に例示されていない又はこれらのプロセス、方法、製品又は機器固有の他のステップ又はユニットも含むことを表す。
【００２２】
本願の実施例によると、人体疲労値の取得方法を提供する。
【００２３】
図１は、本願の実施例による人体疲労値の取得方法のフローチャートである。図１に示すように、該方法はステップＳ１０１〜Ｓ１０６を含む。
【００２４】
ステップＳ１０１において、テスト対象の皮膚電気抵抗信号を収集する。
【００２５】
ステップＳ１０２において、収集された皮膚電気抵抗信号にローパスフィルタリングを行って、フィルタリングした後の皮膚電気抵抗信号を得る。
【００２６】
ステップＳ１０３において、フィルタリングした後の皮膚電気抵抗信号に微分処理を行って、微分処理後の皮膚電気抵抗信号を得る。
【００２７】
ステップＳ１０４において、微分処理後の皮膚電気抵抗信号から所定の条件を満たす信号を捕捉して、目標皮膚電気抵抗信号を得る。
【００２８】
ステップＳ１０５において、目標皮膚電気抵抗信号に移動平均処理を行って、移動平均処理後の目標皮膚電気抵抗信号を得る。
【００２９】
ステップＳ１０６において、移動平均処理後の目標皮膚電気抵抗信号に基づいて、テスト対象の疲労値を取得し、ここで、テスト対象の疲労値はテスト対象の疲労程度を反映する。
【００３０】
本願の実施例で提供する人体疲労値の取得方法によると、テスト対象の皮膚電気抵抗信号を収集し、収集された皮膚電気抵抗信号にローパスフィルタリングを行って、フィルタリングした後の皮膚電気抵抗信号を得て、フィルタリングした後の皮膚電気抵抗信号に微分処理を行って、微分処理後の皮膚電気抵抗信号を得て、微分処理後の皮膚電気抵抗信号から所定の条件を満たす信号を捕捉して、目標皮膚電気抵抗信号を得て、目標皮膚電気抵抗信号に移動平均処理を行って、移動平均処理後の目標皮膚電気抵抗信号を得て、移動平均処理後の目標皮膚電気抵抗信号に基づいて、テスト対象の疲労値を取得し、ここで、テスト対象の疲労値はテスト対象の疲労程度を反映する。本願によると、係る技術においてテスト対象の皮膚電気抵抗に基づいてテスト対象の疲労値を取得しにくい問題を解決できる。テスト対象の皮膚電気抵抗信号を収集してからフィルタリング、微分処理、捕捉、移動平均処理を経てテスト対象の疲労値を取得することで、テスト対象の皮膚電気抵抗に基づいてテスト対象の疲労度を取得できる効果を実現できる。
【００３１】
あるいはまた、本願の実施例で提供する人体疲労値の取得方法において、移動平均処理後の目標皮膚電気抵抗信号に基づいて、テスト対象の疲労値を取得することは、移動平均処理後の目標皮膚電気抵抗信号に正規化処理を行って、正規化後の目標皮膚電気抵抗信号を得ることと、正規化後の目標皮膚電気抵抗信号に基づいて、テスト対象の疲労値を取得することと、を含む。
【００３２】
テスト対象の疲労値を取得する精度を向上させるため、本技術案において、移動平均処理後の目標皮膚電気抵抗信号に正規化処理を行って、正規化後の目標皮膚電気抵抗信号を得て、正規化後の目標皮膚電気抵抗信号に基づいてテスト対象の疲労値を取得する。なお、本願における正規化処理とは、後で目標皮膚電気抵抗信号に基づいてテスト対象の疲労値データを簡単に取得するように、目標皮膚電気抵抗信号に処理を行って一定の範囲内に制限することである。
【００３３】
あるいはまた、本願の実施例で提供する人体疲労値の取得方法において、正規化後の目標皮膚電気抵抗信号に基づいてテスト対象の疲労値を取得した後、該方法は、テスト対象の疲労値に分析を行うことと、テスト対象の疲労値に対する分析結果に基づいて、テスト対象の分析結果を生成してテスト対象の疲労値レポートを生成することと、をさらに含む。
【００３４】
テスト対象の疲労値に分析を行って、分析結果に基づいてテスト対象の疲労値レポートを生成し、疲労値レポートによって、テスト対象の疲労状況、体調などを直観的に反映することができる。
【００３５】
あるいはまた、本願の実施例で提供する人体疲労値の取得方法において、移動平均処理後の目標皮膚電気抵抗信号に正規化処理を行って、正規化後の目標皮膚電気抵抗信号を得ることは、サポートベクターマシン分類器を用いて、移動平均処理後の目標皮膚電気抵抗信号に正規化処理を行って、正規化後の目標皮膚電気抵抗信号を得ることをさらに含む。
【００３６】
本願の実施例におけるサポートベクターマシン分類器の原理を図２に示す。ここで、○と□はそれぞれ正負サンプルを表し、図２中の最適超平面（ｏｐｔｉｍａｌ  ｈｙｐｅｒｐｌａｎｅ）で示すとおりである。図２における実芯のサンプル点はそれぞれ、正負サンプル中の超平面に最も近い点であり、図２における二つの点線間の距離は正負サンプル間の距離（ｇａｐ）を表す。サポートベクターマシンは、サンプルを正確に分離させた状況で、正負サンプル間の距離（ｇａｐ）を最大にし、数学式ｍｉｎｉｍｉｚｅ  １／２||ｗ||２ｓｕｂｊｅｃｔ  ｔｏ  ｙｉ（ｗｔｘｉ＋ｂ）≧１ｉ＝１，２……ｍで表すことができる。上述したサポートベクターマシン分類器で移動平均処理後の目標皮膚電気抵抗信号に正規化処理を行って、正規化後の目標皮膚電気抵抗信号を得る。
【００３７】
あるいはまた、本願の実施例で提供する人体疲労値の取得方法において、正規化後の目標皮膚電気抵抗信号に基づいてテスト対象の疲労値を得ることは、テスト対象疲労分析モデルによって、正規化後の目標皮膚電気抵抗信号に対応するテスト対象の疲労値を取得することを含み、ここで、テスト対象疲労分析モデルは、予め複数のテスト対象の疲労値でトレーニングした後に構築したモデルである。
【００３８】
予めて複数のテスト対象の疲労値でトレーニングして疲労分析モデルを構築し、テスト対象疲労分析モデルに基づいて皮膚電気抵抗のデジタル信号に対応するテスト対象の疲労値を取得することで、テスト対象の疲労値を取得する効率を向上させ、テスト対象の疲労値を取得する精度も向上させる。
【００３９】
あるいはまた、本願の実施例で提供する人体疲労値の取得方法において、フィルタリングした後の皮膚電気抵抗信号に微分処理を行って、微分処理後の皮膚電気抵抗信号を得ることは、フィルタリングした後の皮膚電気抵抗信号にデジタル-アナログ変換を行って、皮膚電気抵抗のデジタル信号を得ることと、皮膚電気抵抗のデジタル信号に微分処理を行って、微分処理後の皮膚電気抵抗信号を得ることと、を含む。
【００４０】
上述した技術案によると、フィルタリングした後の皮膚電気抵抗信号にデジタル-アナログ変換を行って、皮膚電気抵抗のデジタル信号を得て、その後、皮膚電気抵抗のデジタル信号に微分処理を行うことで、微分処理後の皮膚電気抵抗信号を得る。
【００４１】
あるいはまた、本願の実施例で提供する人体疲労値の取得方法において、正規化後の目標皮膚電気抵抗信号に基づいて、テスト対象の疲労値を取得した後、該方法は、テスト対象の疲労値が所定の数値を超えたか否かを判断することと、テスト対象の疲労値が所定の数値を超えたと判断されると、テスト対象が疲労期間であると決定することと、テスト対象の疲労値が属される疲労レベルを決定することと、を含み、ここで、疲労レベルは軽度疲労と重度疲労とを含む。
【００４２】
例えば、疲労値が６０〜８０範囲内である疲労レベルを軽度疲労とし、疲労値＞８０である疲労レベルを重度疲労とする。テスト対象の疲労値に基づいてテスト対象が疲労期間であると決定し、テスト対象の疲労値が属される疲労レベルを決定することで、テスト対象の疲労情况、体調などをより正確に反映する。
【００４３】
なお、図面中のフローチャートに示すステップを例えば１組のコンピュータが命令を実行可能なコンピュータシステムで実行することができ、そしてフローチャートにロジック順を示しているが、場合によってはそれと異なる順で図示または説明したステップを実行することができる。
【００４４】
本願の実施例においてさらに人体疲労値の取得装置を提供し、なお、本願の実施例に係る人体疲労値の取得装置は、本願の実施例で提供した人体疲労値の取得方法を実現することができる。以下、本願の実施例で提供する人体疲労値の取得装置を説明する。
【００４５】
図３は、本願の実施例による人体疲労値の取得装置を示す図である。図３に示すように、該装置は、収集ユニット１０と、フィルタリングユニット２０と、第１の処理ユニット３０と、第２の処理ユニット４０と、第３の処理ユニット５０と、取得ユニット６０と、を含む。
【００４６】
具体的に、収集ユニット１０は、テスト対象の皮膚電気抵抗信号を収集するように設置される。
【００４７】
フィルタリングユニット２０は、収集された皮膚電気抵抗信号にローパスフィルタリングを行って、フィルタリングした後の皮膚電気抵抗信号を得るように設置される。
【００４８】
第１の処理ユニット３０は、フィルタリングした後の皮膚電気抵抗信号に微分処理を行って、微分処理後の皮膚電気抵抗信号を得るように設置される。
【００４９】
第２の処理ユニット４０は、微分処理後の皮膚電気抵抗信号から所定の条件を満たす信号を捕捉して、目標皮膚電気抵抗信号を得るように設置される。
【００５０】
第３の処理ユニット５０は、目標皮膚電気抵抗信号に移動平均処理を行って、移動平均処理後の目標皮膚電気抵抗信号を得るように設置される。
【００５１】
取得ユニット６０は、移動平均処理後の目標皮膚電気抵抗信号に基づいて、テスト対象の疲労値を取得するように設置され、ここで、テスト対象の疲労値はテスト対象の疲労程度を反映する。
【００５２】
本願の実施例で提供する人体疲労値の取得装置によると、収集ユニット１０によりテスト対象の皮膚電気抵抗信号を収集し、フィルタリングユニット２０により収集された皮膚電気抵抗信号にローパスフィルタリングを行って、フィルタリングした後の皮膚抵抗信号を得て、第１の処理ユニット３０によりフィルタリングした後の皮膚電気抵抗信号に微分処理を行って、微分処理後の皮膚電気抵抗信号を得て、第２の処理ユニット４０により微分処理後の皮膚電気抵抗信号から所定の条件を満たす信号を捕捉して、目標皮膚電気抵抗信号を得て、第３の処理ユニット５０により目標皮膚電気抵抗信号に移動平均処理を行って、移動平均処理後の目標皮膚電気抵抗信号を得て、取得ユニットにより移動平均処理後の目標皮膚電気抵抗信号に基づいて、テスト対象の疲労程度を反映するテスト対象の疲労値を取得することで、係る技術においてテスト対象の皮膚電気抵抗に基づいてテスト対象の疲労値を取得しにくい問題を解決し、テスト対象の皮膚電気抵抗信号を収集してからフィルタリング、微分処理、捕捉、移動平均処理を経てテスト対象の疲労値を取得することで、テスト対象の皮膚電気抵抗に基づいてテスト対象の疲労度を取得できる効果を実現できる。
【００５３】
なお、上記収集ユニット１０、フィルタリングユニット２０、第１の処理ユニット３０、第２の処理ユニット４０、第３の処理ユニット５０、取得ユニット６０は、装置の一部としてコンピュータ端末で実行されることができ、コンピュータ端末中のプロセッサによって上述した手段の機能を実現することもでき、コンピュータ端末はスマートフォン（例えば、Ａｎｄｒｏｉｄ携帯電話、ｉＯＳ携帯電話等）、タブレットＰＣ、ポケットＰＣ及びモバイルインターネット機器（Ｍｏｂｉｌｅ  Ｉｎｔｅｒｎｅｔ  Ｄｅｖｉｃｅｓ、ＭＩＤ）、ＰＡＤ等の端末機器であることができる。
【００５４】
あるいはまた、本願の実施例で提供する人体疲労値の取得装置において、取得ユニット６０は、移動平均処理後の目標皮膚電気抵抗信号に正規化処理を行って、正規化後の目標皮膚電気抵抗信号を得るように設置された処理手段と、正規化後の目標皮膚電気抵抗信号に基づいて、テスト対象の疲労値を取得するように設置された取得手段と、をさらに含む。
【００５５】
前記人体疲労値の取得装置は、プロセッサと、メモリと、を含み、上記収集ユニット１０、フィルタリングユニット２０、第１の処理ユニット３０、第２の処理ユニット４０、第３の処理ユニット５０等はいずれもプログラムユニットとしてメモリに記憶され、プロセッサによりメモリに記憶された上記プログラムユニットを実行することで対応する機能を実現する。
【００５６】
プロセッサにカーネルが含まれていて、カーネルによりメモリから対応するプログラムユニットをスケジューリングする。カーネルは一つ以上設けられることができ、カーネルのパラメータを調整することで人体の疲労度を取得する。
【００５７】
メモリは、コンピュータ読み取り可能な媒体中の揮発性メモリ、ランダムアクセスメモリ（ＲＡＭ）及び/または読み取り専用メモリ（ＲＯＭ）またはフラッシュメモリ（ｆｌａｓｈ  ＲＡＭ）等の不揮発性メモリなどの形式を含み、メモリは少なくとも一つの記憶チップを含む。
【００５８】
本発明の実施例において記憶媒体を提供し、その中にはプログラムが記憶され、該プログラムがプロセッサによって実行される時に上述した人体疲労値の取得方法を実現する。
【００５９】
本発明の実施例においてプロセッサを提供し、前記プロセッサはプログラムを実行し、ここで、前記プログラムが実行される時に上述した人体疲労値の取得方法が実現される。
【００６０】
本発明の実施例において機器を提供し、該機器は、プロセッサと、メモリと、メモリに記憶されてプロセッサで実行されるプログラムと、を含み、プロセッサがプログラムを実行する際、テスト対象の皮膚電気抵抗信号を収集するステップと、収集された皮膚電気抵抗信号にローパスフィルタリングを行って、フィルタリングした後の皮膚電気抵抗信号を得るステップと、フィルタリングした後の皮膚電気抵抗信号に微分処理を行って、微分処理後の皮膚電気抵抗信号を得るステップと、微分処理後の皮膚電気抵抗信号から所定の条件を満たす信号を捕捉して、目標皮膚電気抵抗信号を得るステップと、目標皮膚電気抵抗信号に移動平均処理を行って、移動平均処理後の目標皮膚電気抵抗信号を得るステップと、移動平均処理後の目標皮膚電気抵抗信号に基づいて、テスト対象の疲労程度を反映するテスト対象の疲労値を取得するステップと、を実現する。
【００６１】
移動平均処理後の目標皮膚電気抵抗信号に基づいて、テスト対象の疲労値を取得することは、移動平均処理後の目標皮膚電気抵抗信号に正規化処理を行って、正規化後の目標皮膚電気抵抗信号を得ることと、正規化後の目標皮膚電気抵抗信号に基づいて、テスト対象の疲労値を取得することと、を含む。
【００６２】
正規化後の目標皮膚電気抵抗信号に基づいて、テスト対象の疲労値を取得した後、該方法は、テスト対象の疲労値に分析を行うことと、テスト対象の疲労値に対する分析結果に基づいて、テスト対象の分析結果を生成してテスト対象の疲労値レポートを生成することと、をさらに含む。
【００６３】
移動平均処理後の目標皮膚電気抵抗信号に正規化処理を行って、正規化後の目標皮膚電気抵抗信号を得ることは、サポートベクターマシン分類器を用いて、移動平均処理後の目標皮膚電気抵抗信号に正規化処理を行って、正規化後の目標皮膚電気抵抗信号を得ることをさらに含む。
【００６４】
フィルタリングした後の皮膚電気抵抗信号に微分処理を行って、微分処理後の皮膚電気抵抗信号を得ることは、フィルタリングした後の皮膚電気抵抗信号にデジタル-アナログ変換を行って、皮膚電気抵抗のデジタル信号を得ることと、皮膚電気抵抗のデジタル信号に微分処理を行って、微分処理後の皮膚電気抵抗信号を得ることと、を含む。
【００６５】
正規化後の目標皮膚電気抵抗信号に基づいて、テスト対象の疲労値を取得することは、テスト対象疲労分析モデルで正規化後の目標皮膚電気抵抗信号に対応するテスト対象の疲労値を取得することを含み、ここで、テスト対象疲労分析モデルは予め複数のテスト対象の疲労値でトレーニングした後に構築したモデルである。
【００６６】
正規化後の目標皮膚電気抵抗信号に基づいてテスト対象の疲労値を取得した後、該方法は、テスト対象の疲労値が所定の数値を超えたか否かを判断することと、テスト対象の疲労値が所定の数値を超えたと判断されると、テスト対象が疲労期間であると決定することと、テスト対象の疲労値が属される疲労レベルを決定することと、をさらに含み、ここで、疲労レベルは軽度疲労と重度疲労を含む。本願の機器はサーバー、ＰＣ、ＰＡＤ、携帯電話等であることができる。
【００６７】
本願においてさらにコンピュータプログラム製品を提供し、データ処理装置で実行される時に、テスト対象の皮膚電気抵抗信号を収集するステップと、収集された皮膚電気抵抗信号にローパスフィルタリングを行って、フィルタリングした後の皮膚電気抵抗信号を得るステップと、フィルタリングした後の皮膚電気抵抗信号に微分処理を行って、微分処理後の皮膚電気抵抗信号を得るステップと、微分処理後の皮膚電気抵抗信号から所定の条件を満たす信号を捕捉して、目標皮膚電気抵抗信号を得るステップと、目標皮膚電気抵抗信号に移動平均処理を行って、移動平均処理後の目標皮膚電気抵抗信号を得るステップと、移動平均処理後の目標皮膚電気抵抗信号に基づいて、テスト対象の疲労程度を反映するテスト対象の疲労値を取得するステップとが初期化されたプログラムの実行に適合する。
【００６８】
移動平均処理後の目標皮膚電気抵抗信号に基づいて、テスト対象の疲労値を取得することは、移動平均処理後の目標皮膚電気抵抗信号に正規化処理を行って、正規化後の目標皮膚電気抵抗信号を得ることと、正規化後の目標皮膚電気抵抗信号に基づいて、テスト対象の疲労値を取得することと、を含む。
【００６９】
正規化後の目標皮膚電気抵抗信号に基づいてテスト対象の疲労値を取得した後、該方法は、テスト対象の疲労値に分析を行うことと、テスト対象の疲労値に対する分析結果に基づいて、テスト対象の分析結果を生成してテスト対象の疲労値レポート生成することと、を含む。
【００７０】
移動平均処理後の目標皮膚電気抵抗信号に正規化処理を行って、正規化後の目標皮膚電気抵抗信号を得ることは、サポートベクターマシン分類器で移動平均処理後の目標皮膚電気抵抗信号に正規化処理を行って、正規化後の目標皮膚電気抵抗信号を得ることをさらに含む。
【００７１】
フィルタリングした後の皮膚電気抵抗信号に微分処理を行って、微分処理後の皮膚電気抵抗信号を得ることは、フィルタリングした後の皮膚電気抵抗信号にデジタル-アナログ変換を行って、皮膚電気抵抗のデジタル信号を得ることと、皮膚電気抵抗のデジタル信号に微分処理を行って、微分処理後の皮膚電気抵抗信号を得ることとを含む。
【００７２】
正規化後の目標皮膚電気抵抗信号に基づいてテスト対象の疲労値を取得することは、テスト対象疲労分析モデルで正規化後の目標皮膚電気抵抗信号に対応するテスト対象の疲労値を得ることを含み、ここで、テスト対象疲労分析モデルは予め複数のテスト対象の疲労値でトレーニングした後に構築したモデルである。
【００７３】
正規化後の目標皮膚電気抵抗信号に基づいてテスト対象の疲労値を取得した後、該方法は、テスト対象の疲労値が所定の数値を超えたか否かを判断することと、テスト対象の疲労値が所定の数値を超えたと判断されると、テスト対象が疲労期間であると決定することと、テスト対象の疲労値が属される疲労レベルを決定することと、をさらに含み、ここで、疲労レベルは軽度疲労と重度疲労を含む。
【００７４】
本願の実施例を方法、システムまたはコンピュータプログラム製品として提供することが可能であることを当業者は理解できる。よって、本願は、完全なハードウェア実施例、完全なソフトフェア実施例、またはソフトフェアとハードウェアを結合した実施例の形態を採用することができる。そして、本願は、コンピュータ利用可能なプログラムコードを含む一つまたは複数のコンピュータ利用可能な記憶媒体（ディスクドライブ、ＣＤ−ＲＯＭ、光学メモリ等を含むが、これらの限定されない）で実施されるコンピュータプログラム製品の形態を採用することもできる。
【００７５】
本願を、本願の実施例による方法、機器（システム）、コンピュータプログラム製品のフローチャート及び/またはブロック図を参照して説明した。コンピュータプログラム命令により、フローチャート及び/またはブロック図中の各プロセス及び/またはブロック、及びフローチャート及び/またはブロック図中のプロセス及び/またはブロックの結合を実現できることは理解できる。これらのコンピュータプログラム命令を汎用コンピュータ、専用コンピュータ、組み込みプロセッサまたは他のプログラミング可能なデータ処理装置のプロセッサに提供して機器を発生して、コンピュータまたは他のプログラミング可能なデータ処理装置のプロセッサに命令を実行させることで、フローチャート中の一つのプロセスまたは複数のプロセス及び/またはブロック図中の一つのブロックまたは複数のブロックに指定された機能を実現する装置を発生する。
【００７６】
これらのコンピュータプログラム命令は、コンピュータまたは他のプログラミング可能なデータ処理装置を特定の形態で動作するように案内するコンピュータ読み取り可能なメモリに記憶されることができ、該コンピュータ読み取り可能なメモリに記憶された命令に命令装置を含む製品を発生させることができ、該命令装置によりフローチャート中の一つのプロセスまたは複数のプロセス及び/またはブロック図中の一つのブロックまたは複数のブロックに指定された機能を実現する。
【００７７】
これらのコンピュータプログラム命令は、コンピュータまたは他のプログラミング可能な機器で一連の操作ステップを実行してコンピュータによる処理を発生するように、コンピュータまたは他のプログラミング可能なデータ処理装置にローディングされることもでき、これにより、コンピュータまたは他のプログラミング可能な機器で実行される命令によって、フローチャート中の一つのプロセスまたは複数のプロセス及び/またはブロック図中の一つのブロックまたは複数のブロックに指定された機能を実現するためのステップを提供する。
【００７８】
典型的な配置において、計算装置は、一つまたは複数のプロセッサ（ＣＰＵ）と、入出力インターフェースと、ネットワークインターフェースと、内部メモリと、を含む。
【００７９】
メモリは、コンピュータ読み取り可能な媒体中の揮発性メモリ、ランダムアクセスメモリ（ＲＡＭ）及び/または読み取り専用メモリ（ＲＯＭ）またはフラッシュメモリ（ｆｌａｓｈ  ＲＡＭ）等の不揮発性メモリなどの形式を含む。メモリはコンピュータ読み取り可能な媒体の実例である。
【００８０】
コンピュータ読み取り可能な媒体は、不揮発性と揮発性、取り外し可能な媒体と取り外し不可能な媒体を含み、すべての方法または技術によって情報を記憶する。情報は、コンピュータ読み取り可能な命令、データ構造、プログラムの手段または他のデータを含む。コンピュータの記憶媒体の例として、相変化メモリ（ＰＲＡＭ）、静的ランダムアクセスメモリ（ＳＲＡＭ）、動的ランダムアクセスメモリ（ＤＲＡＭ）、他のタイプのランダムアクセスメモリ（ＲＡＭ）、読み取り専用メモリ（ＲＯＭ）、電気的に消去と再書き込みが可能な読み取り専用メモリ（ＥＥＰＲＯＭ）、フラッシュメモリまたは他のメモリ技術、読み取り専用ディスック読み取り専用メモリ（ＣＤ−ＲＯＭ）、デジタル多用途ディスク（ＤＶＤ）または他の光学ストレージ、磁気カセットテープ、磁気テープ記憶または他の磁気記憶装置またはいずれかの他の非伝送媒体などの計算装置がアクセス可能な情報を記憶するものを含むが、これらに限定されることはない。本願の限定によると、コンピュータ読み取り可能な媒体には、例えば変調されたデータ信号とキャリア等の一時的なコンピュータ読み取り可能な媒体（ｔｒａｎｓｉｔｏｒｙ  ｍｅｄｉａ）が含まれない。
【００８１】
なお、「含む」、「含有する」またはそれらのすべての変形用語は、非排他的に含むことをカバーするものであるので、一連の要素を含むプロセス、方法、製品又は機器がそれらの要素を含む以外、明確に例示されていない他の要素も含み、またはこれらのプロセス、方法、製品又は機器固有の他の要素も含むことを表す。さらに限定されていない限り、「一つの…を含む」と限定された要素は、要素を含むプロセス、方法、製品または機器に他の同一の要素も含むことを排除しない。
【００８２】
本願の実施例を方法、システムまたはコンピュータプログラム製品として提供することが可能であることを当業者は理解できる。よって、本願は、完全なハードウェア実施例、完全なソフトフェア実施例、またはソフトフェアとハードウェアを結合した実施例の形態を採用することができる。そして、本願は、コンピュータ利用可能なプログラムコードを含む一つまたは複数のコンピュータ利用可能な記憶媒体（ディスクドライブ、ＣＤ−ＲＯＭ、光学メモリ等を含むが、これらの限定されない）で実施されるコンピュータプログラム製品の形態を採用することもできる。
【００８３】
以上は、本願の好適な実施例に過ぎず、本願を限定するものではない。当業者であれば本願に様々な修正や変形が可能である。本願の精神や原則内での全ての修正、同等置換、改良などはすべて本願の保護範囲内に含まれる。
【図１】
0006915161.tif 000002
【図２】
0006915161.tif 000003
【図３】
0006915161.tif 000004